(57)【要約】      （修正有）【課題】ボールチェーンに容易に取り付け可能であり、且つ非操作時にボールチェーンに引っかかることを防止することができるセーフティツールを提供する。【解決手段】ボールチェーンに取り付けられるセーフティツール１７であって、支持部材から垂下されるボールチェーンの第１及び第２チェーン部分７a、７bを収容する第１及び第２収容空間を有する本体部材１８，１９と、本体部材１８，１９に対して回転可能に支持されるプーリー２０とを備え、プーリー２０は、ボールに係合するように構成され、且つ本体部材１８，１９内において第１及び第２チェーン部分７a、７bの間に配置され、本体部材１８，１９は、第１及び第２収容空間に連通し且つ第１及び第２チェーン部分７a、７bを第１及び第２収容空間内に挿入可能にする第１及び第２スリットを備える。【選択図】図２
2015140634.tif 000002
【特許請求の範囲】
【請求項１】
建築物に据付される支持部材から垂下されるループ状のボールチェーンに取り付けられるセーフティツールであって、
前記ボールチェーンは、コード上に等間隔に合成樹脂のボールが設けられて構成され、
前記セーフティツールは、前記支持部材から垂下される前記ボールチェーンの第１及び第２チェーン部分を収容する第１及び第２収容空間を有する本体部材と、前記本体部材に対して回転可能に支持されるプーリーとを備え、
前記プーリーは、前記ボールに係合するように構成され、且つ前記本体部材内において第１及び第２チェーン部分の間に配置され、
前記本体部材は、第１及び第２収容空間に連通し且つ第１及び第２チェーン部分を第１及び第２収容空間内に挿入可能にする第１及び第２スリットを備える、セーフティツール。
【請求項２】
前記本体部材は、前記ボールチェーンを引っ掛けることができるフックを備えるか、又は前記フックを取り付け可能なフック取付部を備える、請求項１に記載のセーフティツール。
【請求項３】
第１及び第２スリットの幅は、前記ボールを通過させず且つ前記コードを通過させる幅である、請求項１又は請求項２に記載のセーフティツール。
【請求項４】
第１及び第２スリットは、前記本体部材の幅方向の端部から、前記本体部材の幅方向中央側に寄った位置に設けられている、請求項１〜請求項３の何れか１つに記載のセーフティツール。
【請求項５】
第１及び第２スリットの長さは、前記本体部材の幅方向中央での前記本体部材の高さ方向の長さよりも短い、請求項１〜請求項４の何れか１つに記載のセーフティツール。
【発明の詳細な説明】
【技術分野】
【０００１】
この発明は、建築物に据付される支持部材から垂下されるループ状のボールチェーンに取り付けられるセーフティツールに関する。支持部材としては、横型ブラインド、たくし上げカーテン、プリーツスクリーン、ロールアップスクリーン、縦型ブラインド、カーテンレール、アコーディオンカーテン、縦型プリーツスクリーン、縦型ロールスクリーン、パネルカーテン等のループ状の操作コードを用いて遮蔽材を開閉することができる遮蔽装置用の支持部材（ヘッドボックス、ヘッドレールなど）が挙げられる。
【背景技術】
【０００２】
横型ブラインドなどの遮蔽装置においては、ヘッドボックスから吊り下げられる遮蔽材の下部に設けられたボトムレールに昇降コードの一端が取着され、昇降コードの他端が巻取軸に取着され、巻取軸を回転させることによって、昇降コードの巻取り及び巻戻しを行って、遮蔽材を昇降させる。このような遮蔽装置では、ヘッドボックスに回転可能に支持された操作プーリーにループ状の操作コードを掛装し、この操作コードを操作することによって操作プーリーを回転させ、その回転を巻取軸に伝達することによって巻取軸を回転させている。
特許文献１には、不使用時に操作コードに引っかかることがないように、操作コードを束ねるためのコードクリップが開示されている。
【先行技術文献】
【特許文献】
【０００３】
【特許文献１】特開２００７−１１３３２３号公報
【発明の概要】
【発明が解決しようとする課題】
【０００４】
特許文献１のコードクリップはその機能は全く問題がないが、コードクリップに操作コードを束ねるのが面倒であったり、コードクリップを紛失してしまう場合があったりするという問題がある。
【０００５】
本発明はこのような事情に鑑みてなされたものであり、ボールチェーンに容易に取り付け可能であり、且つ非操作時にユーザーがボールチェーンに引っかかることを防止することができるセーフティツールを提供するものである。
【課題を解決するための手段】
【０００６】
本発明によれば、建築物に据付される支持部材から垂下されるループ状のボールチェーンに取り付けられるセーフティツールであって、前記ボールチェーンは、コード上に等間隔に合成樹脂のボールが設けられて構成され、前記セーフティツールは、前記支持部材から垂下される前記ボールチェーンの第１及び第２チェーン部分を収容する第１及び第２収容空間を有する本体部材と、前記本体部材に対して回転可能に支持されるプーリーとを備え、前記プーリーは、前記ボールに係合するように構成され、且つ前記本体部材内において第１及び第２チェーン部分の間に配置され、前記本体部材は、第１及び第２収容空間に連通し且つ第１及び第２チェーン部分を第１及び第２収容空間内に挿入可能にする第１及び第２スリットを備える、セーフティツールが提供される。
【０００７】
本発明のセーフティツールは、ボールチェーンのボールに係合するプーリーを支持する本体部材内にボールチェーンの第１及び第２チェーン部分を収容するように構成されている。このような構成によって、ボールチェーンの操作時にセーフティツールがほぼ一定の高さ位置に維持される。従って、ボールチェーンの操作の邪魔にならない位置にセーフティツールを取り付けておけば、ボールチェーンの操作時には、セーフティツールは取り付け位置に維持されるので、ボールチェーンの操作の邪魔にならない。また、セーフティツールにフックを設け、ボールチェーンの非操作時には、ボールチェーンの、セーフティツールよりも下側の部分をフックに引っ掛けておくことにより、ユーザーがボールチェーンに引っかかることを防ぐことができる。
【０００８】
さらに、本発明のセーフティツールの本体部材には、ボールチェーンの第１及び第２チェーン部分を収容する第１及び第２収容空間に連通する第１及び第２スリットが設けられており、第１及び第２チェーン部分は、このスリットを通じて第１及び第２収容空間内に挿入可能になっている。このような構成によって、本発明のセーフティツールは、ボールチェーンの任意の位置に容易に取り付け・取り外しを行うことができる。
【０００９】
以下、本発明の種々の実施形態を例示する。以下に示す実施形態は互いに組み合わせ可能である。
好ましくは、前記本体部材は、前記ボールチェーンを引っ掛けることができるフックを備えるか、又は前記フックを取り付け可能なフック取付部を備える。
好ましくは、第１及び第２スリットの幅は、前記ボールを通過させず且つ前記コードを通過させる幅である。
好ましくは、第１及び第２スリットは、前記本体部材の幅方向の端部から、前記本体部材の幅方向中央側に寄った位置に設けられている。
好ましくは、第１及び第２スリットの長さは、前記本体部材の幅方向中央での前記本体部材の高さ方向の長さよりも短い。
【図面の簡単な説明】
【００１０】
【図１】本発明の第１実施形態のセーフティツール１７をボールチェーン７に取り付けた状態を示す斜視図である。
【図２】図１のセーフティツール１７近傍の拡大図であり、（ａ）は斜視図、（ｂ）は（ａ）から第１本体部材１８を取り外した状態での正面図である。
【図３】（ａ）〜（ｃ）は、図１のセーフティツール１７をボールチェーン７に取り付ける方法を説明するための斜視図である。
【図４】図１のセーフティツール１７を示し、（ａ）〜（ｃ）は斜視図、（ｄ）は断面斜視図である。
【図５】（ａ）〜（ｂ）は、図１のセーフティツール１７の分解斜視図である。
【図６】本発明の第２実施形態のセーフティツール１７の使用方法を説明するための正面図である。
【図７】（ａ）〜（ｂ）は、本発明の第２実施形態のセーフティツール１７についての図２（ａ）〜（ｂ）に対応する図である。
【図８】図７のセーフティツール１７の上方からの斜視図である。
【図９】（ａ）〜（ｂ）は、図７のセーフティツール１７の分解斜視図である。
【図１０】本発明の別の観点の実施形態のセーフティツール１７の斜視図である。
【図１１】（ａ）〜（ｂ）は、図１０のセーフティツール１７とボールチェーン７との係合関係を示す斜視図である。
【図１２】図１０のセーフティツール１７の使用方法を説明するための斜視図である。
【発明を実施するための形態】
【００１１】
以下、本発明の実施形態について説明する。以下に示す実施形態中で示した各種特徴事項は、互いに組み合わせ可能である。また、各特徴について独立して発明が成立する。
【００１２】
＜第１実施形態＞
図１に示す遮蔽装置としての横型ブラインドは、ヘッドボックス１から垂下されるラダーテープ２を介して遮蔽材としての多数段のスラット３が吊下支持され、同ラダーテープ２の下端にボトムレール４が吊下支持される。横型ブラインドは、建築物の開口部寸法に合わせて据付される。
【００１３】
ラダーテープ２の近傍において、ヘッドボックス１から昇降コード５が垂下される。昇降コード５はその上端部がヘッドボックス１内に配設される巻取軸（不図示）に巻着され、下端部がボトムレール４に接続されている。
【００１４】
昇降コード５は、巻取軸の回転に基づいて、巻き取り或いは巻き戻しが行われており、この回転に基づいてボトムレール４及びスラット３が昇降される。また、巻取軸の回転に基づいて、ラダーテープ２を介して各スラット３が同位相で角度調節される。
【００１５】
ヘッドボックス１には、操作プーリー（不図示）が回転可能に支持されており、操作プーリーは、プーリーケース１５内に収容されている。操作プーリーには、ループ状のボールチェーン７に掛装されており、ボールチェーン７を引き下げることによって操作プーリーが回転され、その回転が上述した巻取軸に伝達される。ボールチェーン７は、ループ状のコード８ａに等間隔にボール８ｂが成形されて構成される。
【００１６】
ボールチェーン７には、ヘッドボックス１から垂下されるボールチェーン７の第１及び第２チェーン部分７ａ，７ｂを収容するセーフティツール１７が取り付けられている。ボールチェーン７の操作方法としては、第１及び第２チェーン部分７ａ，７ｂの一方のみの引き下げ操作によってボトムレール４を昇降させる方法と、ボトムレール４を上昇させる際に第１及び第２チェーン部分７ａ，７ｂの一方を使用し、ボトムレール４を下降させる際に第１及び第２チェーン部分７ａ，７ｂの他方を使用する方法があり、本発明のセーフティツール１７は、そのどちらにも適用可能である。
【００１７】
ここで、図２〜図５を用いて、セーフティツール１７について詳細に説明する。セーフティツール１７は、第１本体部材１８と、第２本体部材１９と、プーリー２０と、フック２１とを備える。プーリー２０は、第１本体部材１８と第２本体部材１９の間に挟まれて、第１及び第２本体部材１８，１９に対して回転可能に支持されている。図５に示すように、第１本体部材１８は、本体部１８ａから第２本体部材１９方向に向かって突出する断面略四角形（非円形）の突出軸１８ｂを備える。突出軸１８ｂには、雌ねじ部１８ｃが設けられている。また、突出軸１８ｂとは反対側の面には、フック２１を取り付け可能なフック取付部１８ｄが設けられている。フック取付部１８ｄは、幅広部と幅狭部からなる断面Ｔ字状のスライド溝になっており、幅狭部の端部にテーパー面１８ｅが設けられている。また、フック取付部１８ｄの幅狭部には、フック２１側の係合凸部２１ｂに係合する係合凹部１８ｆが設けられている。第２本体部材１９は、本体部１９ａから第１本体部材１８方向に向かって突出する円筒状の突出筒１９ｂを備える。突出筒１９ｂには、突出軸１８ｂと嵌合する嵌合孔１９ｃが設けられている。突出筒１９ｂとは反対側の面には、ビス頭を収容するための円錐台形状の凹部１９ｄが設けられている。プーリー２０は、ボール８ｂに係合する複数の凹部２０ａを有する外面形状を有している。本実施形態では、プーリー２０の周方向に等間隔に５つの凹部２０ａが形成されている。隣接する２つの凹部２０ａの間は凸部２０ｂになっており、凸部２０ｂには、コード８ａを収容する溝２０ｃが設けられている。また、プーリー２０の中央には、突出筒１９ｂと嵌合する嵌合孔２０ｄが設けられている。フック２１は、第１本体部材１８のフック取付部１８ｄに係合される基部２１ａと、基部２１ａから延びるフック部２１ｃとを備える。基部２１ａは、幅広部と幅狭部からなる断面Ｔ字状になっている。基部２１ａの幅狭部には、フック取付部１８ｄにある係合凹部１８ｆに係合する係合凸部２１ｂが設けられている。また、基部２１ａの幅広部の端部には、テーパー面２１ｄが設けられている。
【００１８】
次に、セーフティツール１７の組み立て方法について説明する。
第２本体部材１９の突出筒１９ｂをプーリー２０の嵌合孔２０ｄ内に挿入し、第１本体部材１８の突出軸１８ｂを第２本体部材１９の嵌合孔１９ｃに挿入する。これによって、図４に示すように、第２本体部材１９と、プーリー２０と、第１本体部材１８とが組み合わさった状態となる。次に、第２本体部材１９の凹部１９ｄにビス（不図示）を挿入し、このビスを第１本体部材１８の雌ねじ部１８ｃに螺合させ、これによって、第２本体部材１９と、プーリー２０と、第１本体部材１８とを互いに連結させる。図４（ｃ）に示すように、第１本体部材１８と第２本体部材１９によって囲まれた空間には、第１及び第２チェーン部分７ａ，７ｂを収容する第１及び第２収容空間２３ａ，２３ｂが設けられる。プーリー２０は、第１収容空間２３ａと第２収容空間２３ｂの間に配置される。また、第１本体部材１８と第２本体部材１９の間には、第１及び第２収容空間２３ａ，２３ｂに連通する第１及び第２スリット２２ａ，２２ｂが設けられている。第１及び第２チェーン部分７ａ，７ｂは、第１及び第２スリット２２ａ，２２ｂを通じて、第１及び第２収容空間２３ａ，２３ｂに挿入可能になっている。なお、第１及び第２スリット２２ａ，２２ｂの幅は、ボールチェーン７のコード８ａの幅と略等しくなっており、このため、第１及び第２スリット２２ａ，２２ｂには、ボールチェーン７のコード８ａは挿通可能であるが、ボール８ｂは挿通不能になっている。
【００１９】
フック２１は、第１本体部材１８の下側から、フック２１の基部２１ａを第１本体部材１８のフック取付部１８ｄに係合させ、基部２１ａを溝状のフック取付部１８ｄ内でスライド移動させて、フック２１の係合凸部２１ｂを、第１本体部材１８の係合凹部１８ｆに係合させる。フック取付部１８ｄの下側の端部にテーパー面１８ｅを設け、基部２１ａの上側の端部にテーパー面２１ｄを設けることによって、基部２１ａをフック取付部１８ｄに係合させやすくなっている。フック２１がこのような構成によって第１本体部材１８に係合されているので、フック２１に対して、閾値を超える下向きの荷重が加わると、係合凸部２１ｂと係合凹部１８ｆの間の係合が解除され、フック２１が下方向に移動して、第１本体部材１８から分離される。このような作用により、ボールチェーン７にユーザーが引っ掛かった場合には、フック２１が第１本体部材１８から外れる。
【００２０】
次に、セーフティツール１７をボールチェーン７に取り付ける方法について説明する。ここでは、ボールチェーン７の第２チェーン部分７ｂを例に挙げて説明を行うが、第１チェーン部分７ａも同様の方法で取り付け可能である。
まず、図３（ａ）に示すように、第２スリット２２ｂの上側にコード８ａが位置するように第２チェーン部分７ｂを配置する。次に、図３（ｂ）に示すように、第２チェーン部分７ｂを第２収容空間２３ｂ内に収容させながら、コード８ａを第２スリット２２ｂ内に挿入する。次に、図３（ｃ）に示すように、第２チェーン部分７ｂを第２収容空間２３ｂ内に収容させながら、コード８ａを第２スリット２２ｂ内でスライド移動させる。この際に、ボール８ｂがプーリー２０に係合される。次に、コード８ａを第２スリット２２ｂの下側から引き出すことによって図２（ａ）に示すような状態にする。第１チェーン部分７ａも同様の方法で取り付けて、図２（ａ）に示すように、第１及び第２チェーン部分７ａ，７ｂが第１及び第２収容空間２３ａ，２３ｂに収容されている状態が得られる。
【００２１】
次に、ボールチェーン７の引き下げ操作時にセーフティツール１７が実質的に一定の高さ位置に保持される作用について説明する。図２（ｂ）に示すように、ボールチェーン７の第１チェーン部分７ａを矢印Ａの方向に引き下げると、第２チェーン部分７ｂが矢印Ｂの方向に引き上げられ、その結果、プーリー２０が矢印Ｒの方向に回転する。ボールチェーン７の第２チェーン部分７ｂを引き下げた場合は、同様の原理によって、プーリー２０が矢印Ｒの反対方向に回転する。このように、ボールチェーン７の引き下げ操作を行った際のボールチェーン７の変位がプーリー２０の回転に変換されるので、ボールチェーン７の引き下げ操作を行ってもセーフティツール１７の高さ位置が実質的に変化せず、一定の高さ位置に保持される。
【００２２】
特許文献１に開示されているコードクリップは、紛失してしまいやすいという問題があるが、本実施形態のセーフティツール１７は、常にボールチェーン７に保持されているので、紛失のおそれがない。また、ボールチェーン７の任意の位置に容易に脱着することが可能であり、かつボールチェーン７の操作時に高さ位置が移動しないので、ボールチェーン７の操作の邪魔にならない。そして、ボールチェーン７の非操作時には、ボールチェーン７の下端のループ部分をフック２１に引っ掛けておくことにより、ユーザーがボールチェーン７に引っ掛かることが防止される。また、フック２１に加わる下向きの荷重が閾値を超えると、フック２１が分離されるようになっているので、その点からも安全性が高められている。
【００２３】
本発明は、以下の形態でも実施可能である。
・フック２１は、第１本体部材１８に一体に形成されてもよい。
・フック２１を省略して、第１及び第２本体部材１８，１９にボールチェーン７の下端のループ部分を引っ掛けるようにしてもよい。
・上記実施形態では、本体部材を２部材で構成しているが、本体部材は、１部材又は３部材以上で構成してもよい。本体部材を１部材で構成する場合、例えば、プーリー２０を２部材構成にしておいて、プーリー２０を支持する支軸は挟むように２つの部材を連結させることによって、プーリー２０を回転可能に本体部材に支持させることができる。
【００２４】
＜第２実施形態＞
本発明の第２実施形態のセーフティツール１７は、その構成及び作用が第１実施形態に類似しており、使用方法が異なる点が主な差異点である。以下、差異点を中心に説明する。
【００２５】
本実施形態においても、第１実施形態と同様に、ボールチェーン７のコード８ａを第１及び第２スリット２２ａ，２２ｂに挿通させることによって、セーフティツール１７をボールチェーン７に取り付けることができる。本実施形態では、図６に示すように、セーフティツール１７は、ボールチェーン７のループ箇所近傍に取り付け、ボールチェーン７のループ箇所を第１及び第２本体部材１８，１９でほぼ隠すようにする。このような位置に取り付けることによって、ユーザーがボールチェーン７に引っ掛かることを防ぐことができる
【００２６】
次に、セーフティツール１７の第１及び第２本体部材１８，１９に設けられている取付穴１７ａにビスを挿入して固定面に螺合させることによって、セーフティツール１７を固定面に固定する。なお、セーフティツール１７をボールチェーン７に取り付ける前にセーフティツール１７を固定面に固定し、その後、ボールチェーン１７をセーフティツール１７に係合させてもよい。
【００２７】
セーフティツール１７を固定する位置は、ボールチェーン７にテンションが掛かり、かつボールチェーン７がたるまないような位置であってもよく、ボールチェーン７がたるむ位置であってもよい。プーリー２０のみを固定面に対して回転可能に支持し、このプーリー２０にボールチェーン７を掛装させる場合、ボールチェーン７がたるむとボールチェーン７がプーリー２０から容易に外れてしまうという問題があるが、本実施形態のセーフティツール１７では、第１及び第２収容空間２３ａ，２３ｂ内に第１及び第２チェーン部分７ａ，７ｂが収容されるので、ボールチェーン７がたるんだ場合でも、ボールチェーン７がプーリー２０から外れることがないという利点がある。
【００２８】
また、ボールチェーン７にテンションが掛かるようにセーフティツール１７を固定した場合、ボールチェーン７の第１及び第２チェーン部分７ａ，７ｂの間の間隔が狭く且つ広がりにくいので、第１及び第２チェーン部分７ａ，７ｂの間に首などが挟まるおそれがないという利点がある。
【００２９】
＜第３実施形態＞
次に、図７〜図９を用いて、本発明の第３実施形態のセーフティツール１７について説明する。本実施形態のセーフティツール１７は、その作用効果は第１実施形態に類似しているが、具体的な構成に差異がある。
【００３０】
本実施形態では、セーフティツール１７は、第１本体部材１８と、第２本体部材１９と、プーリー２０を備える。プーリー２０の構成は、第１実施形態と同様である。図９に示すように、第１本体部材１８は、円形の本体部１８ａから第２本体部材１９方向に向かって突出する円筒状の突出筒１８ｇを備える。突出筒１８ｇには、第２本体部材１９の突出軸１９ｅと嵌合する嵌合孔１８ｈが設けられている。第１本体部材１８には、フック２１が一体に形成されている。第２本体部材１９は、円形の本体部１９ａから第１本体部材１８側に向かって突出する断面略四角形（非円形）の突出軸１９ｅを備える。また、第１及び第２本体部材１８，１９には、互いに対向するように突出壁１８ｐ，１９ｐが設けられている。
【００３１】
次に、セーフティツール１７の組み立て方法について説明する。
第１本体部材１８の突出筒１８ｇをプーリー２０の嵌合孔２０ｄ内に挿入し、第２本体部材１９の突出軸１９ｅを第１本体部材の嵌合孔１８ｈに圧入する。これによって、第２本体部材１９と、プーリー２０と、第１本体部材１８とを互いに連結させる。この状態では、図８に示すように、突出壁１８ｐ，１９ｐが第１及び第２スリット２２ａ，２２ｂを形成するように対向し、第１本体部材１８と第２本体部材１９によって囲まれた空間には、第１及び第２チェーン部分７ａ，７ｂを収容する第１及び第２収容空間２３ａ，２３ｂが設けられる。プーリー２０は、第１収容空間２３ａと第２収容空間２３ｂの間に配置される。第１及び第２スリット２２ａ，２２ｂの幅は、第１実施形態と同様である。第１及び第２スリット２２ａ，２２ｂの位置は、第１及び第２本体部材１８，１９の幅方向の端部よりも、幅方向中央側に寄った位置になっている。言い換えると、突出壁１８ｐ，１９ｐよりも幅方向外側に突出する突出片１８ｑ，１９ｑが設けられている。このような構成によって、突出片１８ｑ，１９ｑで挟まれる空間内に第１及び第２チェーン部分７ａ，７ｂを導いた後に、図３で説明した方法によってコード８ａを第１及び第２スリット２２ａ，２２ｂに挿通させる作業を行うことができるため、作業性が向上する。また、第１実施形態では、第１及び第２スリット２２ａ，２２ｂの長さは、セーフティツール１７の幅方向略中央での高さ方向の長さと略一致していたが、本実施形態では、第１及び第２スリット２２ａ，２２ｂの長さは、セーフティツール１７の幅方向略中央での高さ方向の長さ（図７（ｂ）の直線Ｌ上での長さ）よりも短い。このため、第１及び第２スリット２２ａ，２２ｂ内でコード８ａを移動させる距離が第１実施形態よりも短くなり、その分だけ、セーフティツール１７を第１及び第２チェーン部分７ａ，７ｂに係合させる際の作業性が向上する。
【００３２】
＜別の観点からの実施形態＞
上記実施形態では、セーフティツール１７がプーリー２０を備えることを必須としているが、本発明は、別の観点では、コード８ａを第１及び第２スリット２２ａ，２２ｂに挿入してスライド移動させることによって、チェーン部分を本体部材に着脱可能に係合するという発明であり、その観点からは、プーリー２０を備えることは必ずしも必須ではない。
【００３３】
この観点からは、本発明は、建築物に据付される支持部材から垂下されるループ状のボールチェーンに取り付けられるセーフティツールであって、前記ボールチェーンは、コード上に等間隔に合成樹脂のボールが設けられて構成され、前記セーフティツールは、前記ボールを通過させず且つ前記コードを通過させる幅のスリットを有する本体部材を備えることを特徴とするセーフティツールとして把握することができる。
好ましくは、前記本体部材は、通常使用時に前記ボールチェーンを通過させる第１係合部と、前記支持部材からセーフティツール間のチェーン部分に係合保持可能とした第２係合部を備え、その何れかが前記スリットを有する。好ましくは、第１係合部とは異なる挿通位置で通常使用時にチェーンを通過させることが可能となっている。好ましくは、第１係合部のスリットがオープンエンドであり、第２係合部のスリットがクローズエンドである。本観点では、第１係合部、第２係合部のいずれか一方のスリットが、ボールを通過させず且つコードを通過させる幅であればよく、他方の構造は異なるものとしてよい。
【００３４】
以下、図１０〜図１２を用いて、本観点の実施形態について説明する。
図１０に示すように、本実施形態のセーフティツール１７の基本構成は、第３実施形態のものと同様であるが、プーリー２０が設けられていない点と、第１スリット２２ａがクローズドエンドになっていて、第２スリット２２ｂがオープンエンドになっている点が主な相違点である。以下、相違点を中心に説明する。
【００３５】
図１１に示すように、第１及び第２スリット２２ａ，２２ｂは、第１〜第３実施形態と同様に、ボールチェーン７のコード８ａの幅と略等しくなっており、このため、第１及び第２スリット２２ａ，２２ｂには、ボールチェーン７のコード８ａは挿通可能であるが、ボール８ｂは挿通不能になっている。なお、第１及び第２スリット２２ａ，２２ｂの幅は、コード８ａの直径よりも若干小さくてもよく、この場合、コード８ａを変形させながら第１及び第２スリット２２ａ，２２ｂに挿通させることができる。また、第１スリット２２ａは、第１スリット２２ａをコード８ａに係合させてセーフティツール１７をボールチェーン７上の所定位置に保持させるためのものであるので、第１スリット２２ａとコード８ａの間の係合の保持力がある程度大きい方が好ましく、第１スリット２２ａの幅は、コード８ａの直径よりも小さい方が好ましい。
【００３６】
一方、第２スリット２２ｂは、第１実施形態において説明した方法で、ボールチェーン７を第２収容空間２３ｂ内に収容させるためのものであるので、作業性を高めるために、第２スリット２２ｂの幅は、ある程度大きい方が好ましく、例えば、コード８ａの直径と同程度かそれよりも大きく、かつボールの幅よりも小さいことが好ましい。また、別の表現では、第２スリット２２ｂの幅は、第１スリット２２ａの幅よりも大きいことが好ましい。
【００３７】
このセーフティツール１７は、図１２（ａ）に示すように、ボールチェーン７を第２収容空間２３ｂに収容させることによって、ボールチェーン７に取り付けることができる。第２収容空間２３ｂは、ボールチェーン７を通過させるので、セーフティツール１７は、図１２（ａ）に示すように、自重によってボールチェーン７のループ下端に配置され、ボールチェーン７は、この状態で操作される。一方、ボールチェーン７の非操作時には、図１２（ｂ）に示すように、ボールチェーン７のコード８ａの高い位置にある部分に、第１スリット２２ａを係合させる。これによって、セーフティツール１７が高い位置に保持され、その結果、ボールチェーン７の下端高さが上昇し、安全性が確保される。なお、この状態でもボールチェーン７の下端高さが十分に高くない場合には、ボールチェーン７の下端部を図１２の矢印Ｘで示すようにフック２１に引っ掛けることによって、ボールチェーン７の下端高さをさらに上昇させることができる。
【００３８】
特許文献１に開示されているコードクリップは、コードクリップを弾性変形させて操作コードを把持させているので、コードクリップの弾性変形を繰り返すとコードクリップが疲労破壊されやすくなる。一方、本実施形態では、セーフティツール１７を実質的に変形させることなく、セーフティツール１７の本体部材内にボールチェーンを収容することができるため、疲労破壊されることがないという利点がある。
【００３９】
本実施形態は、以下の態様でも実施可能である。
・第２スリット２２ｂは省略可能である。この場合、例えば、図９に示すように第１及び第２本体部材１８，１９を分離させてボールチェーン７を第２収容空間２３ｂ内に収容させることができる。
・第１スリット２２ａの幅は、コード８ａの直径よりも大きくても小さくてもよい。第１スリット２２ａの幅がコード８ａの直径よりも大きい場合、第１スリット２２ａの底部が下側を向くように第１スリット２２ａをコード８ａに引っ掛けたり、第１スリット２２ａの内壁に溝内に突出する凸部を設けて、この凸部と、第１スリット２２ａの底部の間にコード８ａを保持することが好ましい。
・第１スリット２２ａは、オープンエンドであってもよい。第１スリット２２ａとコード８ａの間の係合が、セーフティツール１７の自重によって解除されないように、第１スリット２２ａとコード８ａの間の係合の強度を高めることが好ましい。係合の強度を高めるための具体的な方法として、第１スリット２２ａの幅をコード８ａの直径よりも小さくしたり、第１スリット２２ａの内壁に溝内に突出する凸部を第１スリット２２ａの長手方向に沿って２箇所以上に設けて隣接する凸部間にコード８ａを保持することが挙げられる。
・第２収容空間２３ｂを省略してもよい。この場合、ボールチェーン７の操作時には、セーフティツール１７をボールチェーン７に取り付けずに、ボールチェーン７の非操作時に、コード８ａの２箇所を第１及び第２スリット２２ａ，２２ｂに係合させることによって、ボールチェーン７の下端高さを上昇させることができる。
・フック２１は省略可能である。
・第１本体部材１８と第２本体部材１９は一体成形してもよい。
【符号の説明】
【００４０】
１：ヘッドボックス
２：ラダーテープ
３：スラット
４：ボトムレール
５：昇降コード
７：ボールチェーン
１５：プーリーケース
１７：セーフティツール
１８：第１本体部材
１９：第２本体部材
２０：プーリー
２１：フック
【図１】
2015140634.tif 000003
【図２】
2015140634.tif 000004
【図３】
2015140634.tif 000005
【図４】
2015140634.tif 000006
【図５】
2015140634.tif 000007
【図６】
2015140634.tif 000008
【図７】
2015140634.tif 000009
【図８】
2015140634.tif 000010
【図９】
2015140634.tif 000011
【図１０】
2015140634.tif 000012
【図１１】
2015140634.tif 000013
【図１２】
2015140634.tif 000014